(57)【特許請求の範囲】
【請求項１】
プラスチック製のプロフィール付き要素を密封する機械（１）であって、
少なくともベースフレーム（６）と、
第１の主な縁（２ａ）と、第２の主な縁（３ａ）と、第１の側方の縁（４ａ）と、第２の側方の縁（５ａ）とを備えているそれぞれの密封する領域（Ｚ）を有しているプロフィール付き要素（Ｐ）を保持するように適合している少なくとも１対の保持部材（７、８）と、
ベースフレーム（６）上に取り付けられており、前記密封する領域（Ｚ）を接触して配置することができる対向している２個の面を有している、加熱されているプレートを備えている少なくとも熱密封素子（１１）と、
前記ベースフレーム（６）と前記保持手段（７、８）との間に配置され、前記プロフィール付き要素（Ｐ）を遠い往復運動の位置と加熱されている前記密封する領域（Ｚ）が１つに結合する近い往復運動の位置との間でシフトするように適合している前記保持手段（７、８）の摺動手段（９、１０）と、
前記ベースフレーム（６）上に取り付けられており、少なくとも前記第１の側方の縁（４ａ）の位置で前記密封する領域（Ｚ）から材料を除去するように適合している除去手段（１３、１４）と、
前記ベースフレーム（６）上に取り付けられており、側方の密封ビード（Ｓ）の収容のために前記第１の側方の縁（４ａ）の位置で前記密封する領域（Ｚ）に当接するように適合している側方の収容手段（２３、２４）と、
を有し、
前記側方の収容手段（２３、２４）は、前記プロフィール付き要素（Ｐ）のそれぞれの第１の側面（４）の少なくとも一部に当接するように適合しているＶパターンに配置されている２つの側（２５）を有しているＶ形要素（２３）を少なくとも有しており、
前記側方の収容手段（２３、２４）は、前記Ｖ形要素（２３）が、前記プロフィール付き要素（Ｐ）の前記第１の側面（４）に当接するように少なくともトラッキングの方向（Ｂ）に沿って移動可能なように前記ベースフレーム（６）上に取り付けられている前記Ｖ形要素（２３）の少なくとも１個の支持胴体（２４）を有しており、
前記Ｖ形要素（２３）が、しなやかな保持手段（３６）の介在によって前記支持胴体（２４）上に取り付けられていることを特徴とする、機械（１）。
【請求項２】
前記除去手段（１３、１４）は、少なくとも前記第１の側方の縁（４ａ）上の側方の溝（１６）を実現するように適合しており、前記Ｖ形要素（２３）は、前記側方の溝（１６）と共に前記側方の密封ビード（Ｓ）の側方の収容コンパートメント（２６）を定めていることを特徴とする、請求項１に記載の機械（１）。
【請求項３】
前記Ｖ形要素（２３）は、一体の単一の胴体片になるように作られていることを特徴とする、請求項１または２に記載の機械（１）。
【請求項４】
前記しなやかな保持手段（３６）は、
前記Ｖ形要素（２３）と前記支持胴体（２４）との間の少なくとも緩い機械的結合組み立て品（３７、３８）と、
前記Ｖ形要素（２３）と前記支持胴体（２４）との間に配置されている少なくとも減衰組み立て品（３９、４０）と、
を有していることを特徴とする、請求項１〜３のいずれか１項に記載の機械（１）。
【請求項５】
前記緩い機械的結合組み立て品（３７、３８）は、前記Ｖ形要素（２３）を貫通して形成されている少なくともスロット（３７）と、前記支持胴体（２４）に連動しており、前記貫通スロット（３７）に緩く嵌っている少なくともピン（３８）とを有していることを特徴とする、請求項４に記載の機械（１）。
【請求項６】
前記減衰組み立て品（３９、４０）は、少なくとも水平方向の減衰層（３９）と、少なくとも垂直方向の減衰層（４０）とを有していることを特徴とする、請求項４または５に記載の機械（１）。
【請求項７】
前記加熱されているプレートを備えている熱密封素子（１１）を移動の方向（Ａ）に沿って、前記加熱されているプレートを備えている熱密封素子（１１）が前記プロフィール付き要素（Ｐ）の間に配置される作動状態と、前記加熱されているプレートを備えている熱密封素子（１１）が前記プロフィール付き要素（Ｐ）から離れている非使用状態との間をシフトするように適合している移動組み立て品（１２）を少なくとも有し、
前記支持胴体（２４）は、前記ベースフレーム（６）に前記トラッキングの方向（Ｂ）に対する横断方向（Ｃ）にも沿って移動可能に取り付けられており、
前記支持胴体（２４）は、
前記支持胴体（２４）が前記加熱されているプレートを備えている熱密封素子（１１）の配置平面（Ｇ）から離れており、加熱されている前記プレートを備えている熱密封素子（１１）が前記支持胴体（２４）をシフトせずに前記移動の方向（Ａ）に沿って移動可能な非動作位置と、
前記支持胴体（２４）が前記加熱されているプレートを備えている熱密封素子（１１）の前記配置平面（Ｇ）上に置かれており、前記加熱されているプレートを備えている熱密封素子（１１）の前記移動の方向（Ａ）に沿った摺動によって、前記支持胴体（２４）を前記トラッキングの方向（Ｂ）に沿って押す動作位置と、
の間に配置可能であり、
前記動作位置では、前記熱密封素子（１１）は前記非使用状態であることを特徴とする、請求項１〜６のいずれか１項に記載の機械（１）。
【請求項８】
前記横断方向（Ｃ）に沿って延びている少なくとも第１のレール（２９）に沿って移動可能な態様で前記ベースフレーム（６）に関連している少なくとも第１のキャリッジ（２８）と、
前記支持胴体（２４）を支持し、前記トラッキングの方向（Ｂ）に沿って延びている少なくとも第２のレール（３１）に沿って移動可能な態様で前記第１のキャリッジ（２８）に関連している少なくとも第２のキャリッジ（３０）と、
を有している前記側方の収容手段（２３、２４）の少なくともシフト組み立て品（２７）を有していることを特徴とする、請求項７に記載の機械（１）。
【請求項９】
前記シフト組み立て品（２７）は、前記第１のキャリッジ（２８）と前記第２のキャリッジ（３０）との間に配置されている少なくとも弾性戻し要素（３５）を有しており、前記第２のキャリッジ（３０）の前記トラッキングの方向（Ｂ）に沿った摺動は、前記加熱されているプレートを備えている熱密封素子（１１）の推進力の作用によって１方向に発生し、前記弾性戻し要素（３５）の作用によって反対方向に発生することを特徴とする、請求項８に記載の機械（１）。
【請求項１０】
前記ベースフレーム（６）に取り付けられており、主な密封ビードの収容のために前記第１の主な縁（２ａ）及び／または前記第２の主な縁（３ａ）の位置で前記密封する領域（Ｚ）に当接するように適合している押さえ手段（１７、１８）を有し、前記除去手段（１３、１４）は、少なくとも主な溝（１５）を前記第１の主な縁（２ａ）及び／または前記第２の主な縁（３ａ）の上で実現するように適合しており、前記押さえ手段（１７、１８）は前記主な溝（１５）と共に前記主な密封ビードの主な収容コンパートメントを定めていることを特徴とする、請求項１〜９のいずれか１項に記載の機械（１）。
【請求項１１】
前記押さえ手段（１７、１８）は、凸部（２０）を有している第１の作業表面（１９）を少なくとも有している収容押さえを少なくとも有しており、前記第１の作業表面（１９）は、前記主な密封ビードを前記主な収容コンパートメントの側壁に向けて逸らせるように前記主な収容コンパートメントの内部に前記凸部（２０）が少なくとも部分的に配置されている状態で前記主な溝（１５）に当接可能であることを特徴とする、請求項１０に記載の機械（１）。
【請求項１２】
前記Ｖ形要素（２３）は、前記凸部（２０）に対して実質的に相補的な寸法を有している少なくとも凹部（４１）を有しており、前記第１の作業表面（１９）が前記主な溝（１５）に当接するときに、前記凸部（２０）は、前記凹部（４１）内に部分的に位置することを特徴とする、請求項１１に記載の機械（１）。
【請求項１３】
前記凹部（４１）は、前記トラッキングの方向（Ｂ）に実質的に平行な方向に沿って延びていることを特徴とする、請求項１２に記載の機械（１）。
【発明の詳細な説明】
【技術分野】
【０００１】
本発明は、プラスチック、特にＰＶＣ製のプロフィール付き要素を密封する機械に関する。
【背景技術】
【０００２】
背景技術において、ほとんどが窓枠として使用されているＰＶＣなどのプラスチック製のプロフィール付き要素は、ドア、窓、またはそれらの壁枠に適用可能な枠構造を達成するために、それぞれのヘッド表面を溶融することによって互いに密封される。
【０００３】
特に、電気加熱要素を備えている適切なプレートを使用して接続される部分を加熱し、それからそれらの溶融を促進するように、加熱されている部分を互いに押し付けることによって溶融が発生する。
【０００４】
一般に、加熱されている部分は、それぞれの枠のたとえば直角の部分を定めるために４５°に切断されていることが適切なプロフィール付き要素のヘッド端部である。
【０００５】
この方法は、密封される加熱されている端部を接触させるように互いに近づくように移動可能なプロフィール付き要素のそれぞれの保持部材を有している密封機械によって実装される。
【０００６】
他の機械には、２個のプロフィール付き要素を溶かす間に形成される密封ビードを取り除くように適合している仕上げシステムも備わっている。
実際には、２個のプロフィール付き要素（表面が４５°に切断されている）の合わせの線の位置で、余分な溶融している材料の一部が流出し、プロフィール付き要素の視認可能な表面から突き出しているビードを形成する。
【０００７】
このため、仕上げられた枠に目に見える美的な外観を与えるために、いったん密封されたプロフィール付き要素は、ビード除去作業を受ける。
【０００８】
しかし、簡単に前述した既知の密封装置は、前述の密封ビードの形成に主に関する大きな欠点を有している。
【０００９】
実際に、プラスチック製のプロフィール付き要素の密封領域は完全には均質ではなく、そのため、プロフィールを規則的にするには、大量の材料を溶かして、それから余るほどのビードを形成し、そのため、取り除かなければならない廃棄する材料が大量になることを考慮しなければならない。
【００１０】
さらに、ビードを取り除き、密封領域をきれいにするように適合している仕上げプロセスは、枠機械加工時間全体にかなり影響する。
【００１１】
実際に枠の密封部ごとに、プロフィール付き要素を以降で機械加工しなければならないことを認識しなければならない。
【００１２】
さらに、スポークプロフィール付き要素については、ビードの除去は非常に複雑である。
【００１３】
これに、前述の仕上げ作業に使用される機械類は、扱いにくく、複雑で、特に高価であることも付け加えなければならない。
【００１４】
さらに扱いにくい装置及び工具が存在するので、これには追加のコスト及び機械加工の時間を維持する必要性が伴う。
【００１５】
特許文献１は、前述の欠点を克服できる方法及び装置を示している。
【００１６】
特許文献１に示しているシステムは、実際に、プロフィール付き要素がその上に取り付けられており、密封ビードをいっさい形成することなくそれらを密封できるようにする２個の移動する保持部材を有しており、密封する領域の事前のミリング作業によってプロフィール付き要素上に密封ビード用の収容コンパートメントを得るように適合しており、密封中に加熱されたプロフィール付き要素に平行して配置されている収容押さえを適用することによって、溶融した材料が収容コンパートメントから出てくるのを防止する。
【００１７】
改良された型式の押さえ要素が、特許文献２に示されている。
【００１８】
特許文献１及び特許文献２に示している方法及び装置は、より高い品質のドア及び窓の枠を得ることを目的としているさらなる改良も可能である。
【００１９】
この点について、特許文献１及び特許文献２に記載されている収容押さえによって、密封ビードを、プロフィール付き要素の側面、つまり関係する壁の枠（外側の周囲の側）及びガラスまたは他の材料製の内側のパネル（内側の周囲の側）に結合するドア／窓の周囲の側を定めるように設計されている面ではなく主な面の位置でだけ収容することを可能にしているということを強調しておく。
【００２０】
この意味で、外側の周囲の側の密封ビードの存在は、ドア／窓が開いているときに見苦しい及び／または危険である（密封ビードが鋭いプロフィールを有していることもある）。
【００２１】
少なくとも部分的にこれらの欠点をなくすために、特許文献１及び特許文献２の教えるところによって製造された装置には、アルミニウム製で、各々が保持部材の各々に取り付けられている２個の移動する縁からなる適切な側方の収容システムが備わっている。
【００２２】
加熱されているプロフィール付き要素が、密封する領域を溶融するように互いにより近くに移動すると、縁がプロフィール付き要素上に定着し（各プロフィール付き要素に対して各縁が対応）、密封ビードのはみ出しをそれらの側面の位置で収容もする。
【００２３】
しかしながら、そのような縁によって得られる結果はかなり不満足なものである。
【００２４】
一方の縁の他方の縁への接近は、非常に正確に行われたとしても、溶融している材料がくさび状になりがちな不連続な点が生じる；そのため、そのようにして得られたドア／窓は、取り除くとすれば前述の仕上げ作業によって取り去らなければならない薄いプラスチックのかなり鋭いバリを不都合なことにたいてい有している。
【００２５】
プロフィール付き要素の外側の面は、ドア／窓の製造者によっては、様々な凸部及び凹部が交互に現れることによって形成されている非常に不規則な形状を持ち、プラスチックの溶融中にそれが完全に様々な変形現象を受けることになるかもしれないことを見落とすべきではない。
【００２６】
プロフィール付き要素の製造の同じ段階で、（溶融しているプラスチックの押し出しによって生じる）事前に予測可能ではない変形が必然的に発生し、そのため、プラスチックのプロフィール付き要素の製造公差はかなり大きい（約１／５ミリメートル）。
【００２７】
状況をさらに複雑のするのが、そのような変形現象は、溶融が行われる環境及び天候の状況によって影響されることが多いことである。
【００２８】
そして、最終的に、同じ呼び寸法を有しているが、異なる季節に及び／または数キロ離れている世界の地域において及び／または異なる押し出し機を使用して押し出されたプロフィール付き要素は、互いに認識可能なほど異なる可能性がある。
【００２９】
以上の全ての理由のため、プロフィール付き要素の側面上の移動する縁を近づけることは、高い精度で、または、少なくとも高い品質の結果を保証するのに十分な精度では、ほとんど実施できない。
【先行技術文献】
【特許文献】
【００３０】
【特許文献１】国際公開第２０１３／１３２４０６号
【特許文献２】国際公開第２０１４／１２２５７２号
【発明の概要】
【発明が解決しようとする課題】
【００３１】
本発明の主な目的は、前述の改良を得ることが可能で、高品質のドア及び窓の枠を製造可能なプラスチック製のプロフィール付き要素を密封する機械を考案することである。
【００３２】
特に、本発明の１つの目的は、世界の任意の場所、任意の環境、及び気象条件で任意の押し出し機から得られた市場にある任意の型式のプロフィール付き要素を密封可能なプラスチック製のプロフィール付き要素を密封する機械を発明することである。
【００３３】
本発明のさらなる目的は、枠の製造を意図したプラスチック製のプロフィール付き要素の密封プロセス全体を大きく簡略化する機械を提供することである。
【００３４】
本発明の他の目的は、簡素で、合理的で、容易で、使用が効果的で、手頃な解決策において、従来技術の前述の欠点を克服可能なプラスチック製のプロフィール付き要素を密封する機械を考案することである。
【課題を解決するための手段】
【００３５】
前述の目的は、請求項１の特徴を有しているプラスチック製のプロフィール付き要素を密封する本機械によって達成される。
【００３６】
本発明の他の特徴及び利点は、添付の図面において例示的ではあるが非限定的な例として示しているプラスチック製のプロフィール付き要素を密封する機械の好適なしかし排他的ではない実施形態の説明から、より明らかになることであろう。
【図面の簡単な説明】
【００３７】
【図１】図１は、本発明の機械の不等角投影図である。
【図１ａ】図１ａは、本発明の機械を使用して密封するプロフィール付き要素の詳細の拡大された不等角投影図である。
【図２】図２は、本発明の機械の詳細の拡大された不等角投影図である。
【図３】図３は、一連の簡略化された平面図において、本発明の機械によってもたらされる側方の収容手段の移動を示している図である。
【図４】図４は、一連の簡略化された平面図において、本発明の機械によってもたらされる側方の収容手段の移動を示している図である。
【図５】図５は、一連の簡略化された平面図において、本発明の機械によってもたらされる側方の収容手段の移動を示している図である。
【図６】図６は、本発明の機械によってもたらされる側方の収容手段の分解図である。
【図７】図７は、本発明の機械によってもたらされる側方の収容手段の不等角投影図である。
【図８】図８は、本発明の機械によってもたらされる側方の収容手段の平面図である。
【図９】図９は、本発明の機械によってもたらされる側方の収容手段の側面図である。
【図１０】図１０は、一連の簡略化された平面図において、第１の動作モードによって、その第１の側方の縁の位置でのプロフィール付き要素の密封の連続している実行ステップの図である。
【図１１】図１１は、一連の簡略化された平面図において、第１の動作モードによって、その第１の側方の縁の位置でのプロフィール付き要素の密封の連続している実行ステップの図である。
【図１２】図１２は、一連の簡略化された平面図において、第１の動作モードによって、その第１の側方の縁の位置でのプロフィール付き要素の密封の連続している実行ステップの図である。
【図１３】図１３は、一連の簡略化された平面図において、第１の動作モードによって、その第１の側方の縁の位置でのプロフィール付き要素の密封の連続している実行ステップの図である。
【図１４】図１４は、一連の簡略化された平面図において、第２の動作モードによって、その第１の側方の縁の位置でのプロフィール付き要素の密封の連続している実行ステップの図である。
【図１５】図１５は、一連の簡略化された平面図において、第２の動作モードによって、その第１の側方の縁の位置でのプロフィール付き要素の密封の連続している実行ステップの図である。
【図１６】図１６は、一連の簡略化された平面図において、第２の動作モードによって、その第１の側方の縁の位置でのプロフィール付き要素の密封の連続している実行ステップの図である。
【発明を実施するための形態】
【００３８】
前述の図を特に参照して、参照番号１は、プラスチック製のプロフィール付き要素Ｐを密封する機械を全体を通して指している。
プロフィール付き要素Ｐが作られているプラスチック材料は、たとえばＰＶＣでできているが、ＰＶＣ以外の熱密封型のプラスチック材料を除外することはできない。
【００３９】
この点について、本明細書の範囲内において、「プラスチック製のプロフィール付き要素」という表現は、全体がプラスチックのプロフィール付き要素だけではなく、外部の覆いまたは内側の芯が金属や木材などのプラスチック以外の材料で作られているフード付きのプロフィール付き要素など、少なくとも一部がプラスチックで作られているプロフィール付き要素も意味することを強調しておく。プロフィール付き要素Ｐは、ドアまたは窓の枠を製造するように１つに組み立てられることを意図しているが、機械１を使用してドアまたは窓の壁枠のプロフィール付き要素を組み立てることもできる。
【００４０】
各プロフィール付き要素Ｐは、第１の主な面２、第２の主な面３、第１の側面４、及び第２の側面５を有しており、本明細書の範囲内において以下のように理解される。
第１の主な面２及び第２の主な面３は、枠が組み立てられたときにドア／窓の平面上に実質的に置かれるプロフィール付き要素Ｐの面である。実際には、それらは、ドア／窓の「見える」面である；
第１の側面４は、枠が組み立てられたときにドア／窓の外側の周囲に実質的に置かれるプロフィール付き要素Ｐの面である。実際に、これは、対応する壁枠に結合するドア／窓の周囲の側部である；
第２の側面５は、枠が組み立てられたときにドア／窓の内側の周囲に実質的に置かれるプロフィール付き要素Ｐの面である。実際には、これは、ドア／窓自体のガラスまたは他の材料の内側のパネルに結合する周囲の側部である。
【００４１】
密封によって結合できるようにするために、プロフィール付き要素Ｐは、２個の直角のプロフィール付き要素Ｐの間の結合を定めるように、４５°で適切に切断されているそれぞれの密封する領域Ｚを有している。
【００４２】
密封する領域Ｚは、それぞれ第１の主な面２、第２の主な面３、第１の側面４、及び第２の側面５の密封する領域Ｚの結合しろに該当する第１の主な縁２ａ、第２の主な縁３ａ、第１の側方の縁４ａ、及び第２の側方の縁５ａを有している。
【００４３】
本発明の以降の箇所では、２個のそれぞれのプロフィール付き要素Ｐの端部を密封するように適合している単一の機械１を示す。
【００４４】
しかしながら、機械１は、各々がプロフィール付き要素Ｐのそれぞれの端部上で作業をする多数の機械１を備えているより大きなシステムの一部とすることができることを理解するのは容易である。
【００４５】
たとえば、長方形の枠を枠として使用可能にするには、前述の枠の直角の位置でプロフィール付き要素Ｐを密封するように各々が配置されている４個の機械１が提供される。
【００４６】
機械１は、互いに対向している対応している密封する領域Ｚをそれぞれ備えているプロフィール付き要素Ｐを保持するように適合している１対の保持部材７、８を支持しているベースフレーム６を有している。
【００４７】
特に、各保持部材７、８は、プロフィール付き要素Ｐが配置される基部７及び、基部７に配置されている可動部８を有している。
【００４８】
可動部８を、基部７に向けてシフトし、したがって水平方向に配置されているプロフィール付き要素Ｐを保持するように適切に移動させる。
【００４９】
そのため、各プロフィール付き要素Ｐは、それぞれのヘッド端部が突き出している状態で基部７と可動部分８との間に配置される。
【００５０】
プロフィール付き要素Ｐのヘッド端部は、密封する領域Ｚを表しており、そのため、互いに対向している。
【００５１】
機械１は、ベースフレーム６と保持手段７、８との間に配置され、プロフィール付き要素Ｐを遠い往復運動の位置と密封されている領域Ｚが１つに結合する近い往復運動の位置との間でそれぞれの摺動の方向Ｄに沿ってシフトように適合している保持手段７、８の摺動手段９、１０を有している。
【００５２】
特に、摺動手段９、１０は、各保持部材７、８に対して、プロフィール付き要素Ｐの長さ方向の延長部分に対して直交して水平方向に延びている摺動ガイド９を有している。
【００５３】
摺動ガイド９上にはトロリー１０が取り付けられており、トロリー１０は基部７と１つに固定されており、詳細には説明しないが、保持部材７、８の両方のトロリー１０を互いに向けて／互いに離れるように往復運動によってシフトするように適合している移動システムに結合している。
【００５４】
機械は１、ベースフレーム６上に取り付けられており、密封する領域Ｚを接触して置くことができる互いに対向している２個の面を有しており、加熱されているプレートを備えている熱密封素子１１を少なくとも有している。
【００５５】
加熱されているプレートを備えている熱密封素子１１は、実質的に垂直方向に置かれている平面Ｇ上に配置されており、摺動ガイド９に対して４５°傾斜している、つまり密封する領域Ｚに平行である。
【００５６】
加熱されているプレートを備えている熱密封素子１１は、たとえば実質的に板状の形態を有している電気加熱素子で構成されている。
【００５７】
機械１は、加熱されているプレートを備えている熱密封素子１１がプロフィール付き要素Ｐの間に配置されている作動状態と、加熱されているプレートを備えている熱密封素子１１がプロフィール付き要素Ｐから離れるように移動している非使用状態との間を、加熱されているプレートを備えている熱密封素子１１を移動の方向Ａに沿ってシフトするように適合している移動組み立て品１２を少なくとも有している。
【００５８】
プロフィール付き要素Ｐが摺動手段９、１０によって互いに離れた移動の位置に配置されている時に、プロフィール付き要素Ｐは加熱されているプレートを備えている熱密封素子１１の通過領域を定めていることに特に注意すべきである。
【００５９】
このように、密封する領域Ｚがいったん加熱されると、プロフィール付き要素Ｐを互いに接近させ、それぞれのヘッド端部を互いに押し付ける。
【００６０】
機械１は、加熱される前に密封する領域Ｚを機械加工するように、ベースフレーム６に取り付けられている除去手段１３、１４も有している。
【００６１】
除去手段１３、１４は、材料を少なくとも第１の側方の縁４ａの位置で密封する領域Ｚから除去するように特に適合している。
【００６２】
図１０から１３を参照して以下でより詳細に説明する第１の動作モードにおいて、除去手段１３、１４によって実施される機械加工作業は、たとえば以下を達成することが便利である。
密封する領域Ｚの第１の主な縁２ａ及び／または第２の主な縁３ａ上の少なくとも主な溝１５；及び
第１の側方の縁４ａ上の少なくとも側方の溝１６
【００６３】
除去手段１３、１４は、主な溝１５及び側方の溝１６を作る以外に、溝自体が存在していない密封する領域Ｚの部分の高さ揃えることが可能で便利である。
【００６４】
実際に、除去手段１３、１４は、密封する領域Ｚの実質的に全体を以下のさまざまな作業深さで通過させることができる。
密封する領域Ｚの縁の位置では、除去手段１３、１４の作業深さは、より深く、溝１５、１６を定める深さである；
他方、密封する領域Ｚの残りの部分では、除去手段１３、１４の作業深さは、より浅く、密封する領域Ｚを滑らかで平らにするのに十分なプラスチック材料のわずかな層だけを取り除く深さである。
【００６５】
言い換えると、除去手段１３、１４は、溝１５、１６を形作ることが必要なだけでなく、壁を平らにして、あらゆる切断誤りを修正することも絶対的に必須である。
【００６６】
図１４から１６を参照して以下でより詳細に説明する第２の動作モードでは、他方、除去手段１３、１４によって実施される機械加工作業は、密封する領域Ｚを完全に平らにすることである。
【００６７】
この場合、除去手段１３、１４は、密封する領域Ｚが完全に平らで、溝がないように、第１の側方の縁４ａの位置及び密封する領域Ｚの残りの両方で、密封する領域Ｚの実質的全体を同じ作業深さで通過するようになっている。
【００６８】
除去手段１３、１４は、たとえば、ミリングによる除去のための除去手段からなる；しかし、除去手段が異なる型式で、たとえば、溶融によってプラスチック材料を除去する１個または２個以上の高温の先端または１個または２個以上の超音波先端を有している代替の実施形態を除外することはできない。
【００６９】
ミリングによる除去のための除去手段１３、１４は、保持部材７、８の上方に配置されている支持フレーム１３及びプロフィール付き要素Ｐの密封する領域Ｚを機械加工するためにプロフィール付き要素Ｐに実質的に向くように配置可能な少なくとも機械加工ツール１４（カッター）を有している。
【００７０】
機械加工ツール１４は、プロフィール付き要素Ｐの間に配置されていないアイドル状態と、プロフィール付き要素Ｐの間に配置されている動作状態との間を移動可能である。
【００７１】
より詳細には、ミリングによる除去のための除去手段１３、１４は、それぞれの密封する領域Ｚの周囲の縁上に作動ヘッドを各々が有している１対の機械加工ツール１４を有していることが好ましい。
【００７２】
図１に示しているように、両方のプロフィール付き要素Ｐ上で同時に機械加工をするように、機械加工ツール１４は、互いに対向しており、支持フレーム１３の対向している側に取り付けられている。
【００７３】
支持フレーム１３は、機械加工ツール１４をアイドル状態から動作状態に切り替えることが可能なだけではなく、密封する領域Ｚに沿ってシフトして必要な機械加工作業も実施する制御軸システムによって水平方向及び垂直方向の両方に移動可能である。
【００７４】
機械１は、ベースフレーム６に取り付けられており、主な密封ビードを収容するように第１の主な縁２ａ及び第２の主な縁３ａの少なくとも一方で密封する領域Ｚに当接するように適合している押さえ手段１７、１８も有している。
【００７５】
特に、密封する領域Ｚの密封状態、つまり、プロフィール付き要素Ｐが互いに接触し押し付けられているときに、押さえ手段１７、１８の目的は、第１の主な面２及び／または第２の主な面３から出てきたプロフィール付き要素Ｐの溶融している材料を収容することである。
【００７６】
それを考慮して、第１の動作モードでは、除去手段１３、１４は、第１の主な縁２ａ上及び／または第２の主な縁３ａ上の主な溝１５を実現し、それから押さえ手段１７、１８が、主な溝１５と共に、主な密封ビードの主な収容コンパートメントを定める。
【００７７】
押さえ手段１７、１８が密封する領域Ｚ上に定着すると、実際、第１の主な面２及び／または第２の主な面３が近づくことによって形成された主な密封ビードが主な溝１５及び押さえ手段１７、１８によって実質的に閉じられ区画されている主な収容コンパートメント内にとらわれたままとなる。
【００７８】
押さえ手段１７、１８は、特許文献２に示している型式であるのが便利であって、凸部２０（図７に示している）を有している第１の作業表面１９を少なくとも有している収容押さえ１７、１８を少なくとも有しており、第１の作業表面１９は、主な密封ビードを主な収容コンパートメントの側壁に向けて逸らせるために、主な収容コンパートメント内に少なくとも部分的に配置される凸部２０で主な溝１５に当接可能である。
【００７９】
収容押さえ１７、１８は、プロフィール付き要素Ｐの結合時に密封する領域Ｚに当接するように、プロフィール付き要素Ｐの摺動の方向Ｄ及び、プロフィール付き要素自体が置かれる配置平面の両方に対して、横断方向に移動可能である。
【００８０】
そのため、第１の収容押さえ１７及び第２の収容押さえ１８が互いに対向しており、両方が密封する領域Ｚの対向している側に当接するように往復運動で近づくように移動可能な、２個の収容押さえ１７、１８は、第１の主な縁２ａ及び第２の主な縁３ａ上に配置されていることが好ましい。
【００８１】
特に、第１の収容押さえ１７は、プロフィール付き要素Ｐの上方に配置されているのに対して、第２の収容押さえ１８は、プロフィール付き要素Ｐの下方に配置されている。
【００８２】
第１の収容押さえ１７及び第２の収容押さえ１８は、第１のアクチュエータ装置２１及び第２のアクチュエータ装置２２によって、垂直方向に移動可能である。
【００８３】
機械１は、ベースフレーム６上に取り付けられており、側方の密封ビードＳの収容のために第１の側方の縁４ａの位置で密封する領域Ｚに当接するように適合している側方の収容手段２３、２４も有している。
【００８４】
側方の収容手段２３、２４は、プロフィール付き要素Ｐのそれぞれの第１の側面４の少なくとも一部に当接するように適合しているＶパターンに配置されている２つの側部２５を有しているＶ形要素２３を少なくとも有している。
【００８５】
第１の動作モードにおいて、第１の主な縁２ａ上に、側方の溝１６が除去手段１３、１４によって予め作られていることを考慮すると、側方の収容手段２３、２４が側方の溝１６に直接当接し、Ｖ形要素２３が、側方の溝１６と共に、側方の密封ビードＳ（図１２に図示）の側方の収容コンパートメント２６を定めることは溶離に理解できる。
【００８６】
Ｖ形要素が密封する領域Ｚ上に定着すると、実際に、第１の側面４が近づくことによって形成された側方の密封ビードＳは、側方の溝１６及びＶ形要素２３によって実質的に閉じられ区画されている側方の収容コンパートメント２６内にとらわれたままになる。
【００８７】
第２の動作モードにおいて、他方、側方の溝１６及び側方の収容コンパートメント２６の存在なしにＶ形要素が密封する領域Ｚ上に定着する；この場合、側方の密封ビードＳ（図１６に図示）がいずれにしても形成されるが、密封する領域Ｚを除去手段１３、１４によって平らにすることによって、その寸法が特に限定されることになり、側方の溝１６及び側方の収容コンパートメント２６なしにＶ形要素によって収容される。
【００８８】
水平方向の面でＶ形要素２３の断面をとると、同じく９０°に配置されている第１の側面４に完全に当接するように、Ｖ形パターン、正確には９０°の角度を構成するように側部２５が配置されている。
【００８９】
図面に示している特定の実施形態において、側方の収容手段２３、２４は、第１の側方の縁４ａのそれぞれの部分に当接するように重ねて配置されている複数のＶ形要素２３を有している。
【００９０】
図示の実施形態において、実際に、第１の側方の縁４ａは、非常に「不規則な形状」、つまり平坦ではなく、様々な凸部及び凹部が交互に現れる形状を有しており、プラスチックの溶融中にそれが完全に様々な変形現象を受ける；複数のＶ形要素２３の使用によって、側方の収容手段２３、２４が、プロフィール付き要素Ｐの様々な凸部及び凹部に対して、より容易に対応することができるようになる。
【００９１】
しかし、第１の側方の縁４ａの全範囲を実質的に覆うような１つのＶ形要素２３だけが存在する本発明の代替の実施形態を除外することはできない。
【００９２】
機械１は、市場で入手可能な全てのプロフィール付き要素Ｐで動作可能なように、Ｖ形要素２３の数及び形状について互いに異なる側方の収容手段２３、２４の様々なキットを備えることができることが容易に理解される。
【００９３】
密封されるプロフィール付き要素Ｐの型式に依存して、実際、第１の側方の縁４ａの相補形状の１個または複数のＶ形要素２３を有している側方の収容手段２３、２４を機械１に取り付けることで十分である。
【００９４】
説明を簡単にするために、本明細書の以降の部分では、特定のものに具体的に言及しない限り、全体を図に示している複数のＶ形要素２３または一般的なＶ形要素２３に言及することで、互いに区別することなくＶ形要素を指すものとする。
【００９５】
単独のＶ形要素２３を備えている側方の収容手段２３、２４において、以下の検討の全てが、状況が相当に異なっていても有効となる；つまり、以降で、複数のＶ形要素２３に言及したときには、これは、厳密に数個のＶ形要素２３からなるのではなく、少なくとも１個のＶ形要素からなる複数のＶ形要素２３と捉えるべきである。
【００９６】
各Ｖ形要素２３は、一体の単独の胴体片になるように作られていることが有利である；しかし１個または２個以上のＶ形要素２３が、１つに組み立て可能な一連の数個の部品からなる代替の実施形態を除外することはできない。
【００９７】
側方の収容手段２３、２４は、Ｖ形要素２３を支持し、Ｖ形要素２３がプロフィール付き要素Ｐの側面に当接するように少なくともトラッキングの方向Ｂに沿って移動可能な態様でベースフレーム６に取り付けられている支持胴体２４を少なくとも有している。
【００９８】
トラッキングの方向Ｂは、直線状で、水平で、摺動ガイド９に対して４５°に配置されている。
【００９９】
そのような配置は、機械１の最高の効率を保証するが、それは、加熱された密封する領域Ｚを１つに溶融するように、プロフィール付き要素Ｐが摺動の方向Ｄに沿って互いに近づいたときに、Ｖ形要素２３がそれらの動きに追従することができるようにするからである。
【０１００】
しかし、プロフィール付き要素Ｐ上で当接するように側方の収容手段２３、２４が移動するトラッキングの方向Ｂが曲線、またはそれ以外の方向に向いている代替の実施形態を除外することはできない。
【０１０１】
支持胴体２４は、ベースフレーム６上に、トラッキングの方向Ｂを横切る横断方向Ｃに沿っても移動可能な態様で取り付けられており、支持胴体２４は、
支持胴体２４が加熱されているプレートを備えている熱密封素子１１の配置平面Ｇから離れており、加熱されているプレートを備えている熱密封素子１１が支持胴体２４を途中で捉えてシフトせずに移動の方向Ａに沿って移動可能な非動作位置（図３）と：
支持胴体２４が加熱されているプレートを備えている熱密封素子１１の配置平面Ｇ上に置かれており、加熱されているプレートを備えている熱密封素子１１の移動の方向Ａに沿った摺動によって、支持胴体２４をトラッキングの方向Ｂに沿って押す動作位置との間に配置可能である。実際に、動作位置では、移動の方向Ａとトラッキングの方向Ｂとは一致する（図４及び５）。
【０１０２】
側方の収容手段２３、２４をトラッキングの方向Ｂ及び横断方向Ｃに沿って移動させるために、機械１は、シフト組み立て品２７を少なくとも有している。
【０１０３】
シフト組み立て品２７は、
横断方向Ｃに沿って延びている少なくとも第１のレール２９に沿って移動可能な態様でベースフレーム６に関連している少なくとも第１のキャリッジ２８と；
支持胴体２４を支持し、トラッキングの方向Ｂに沿って延びている少なくとも第２のレール３１に沿って移動可能な態様で第１のキャリッジ２８に関連している少なくとも第２のキャリッジ３０と、
を有している。
【０１０４】
特に、第１のレール２９は、第１のキャリッジ２８に一体に固定されており、ベースフレーム６に一体に固定されている第１の案内組み立て品３２に沿って係合している。
【０１０５】
第１のキャリッジ２８の横断方向Ｃに沿ったシフトは、ベースフレーム６と第１のキャリッジ２８との間に配置されている直動アクチュエータ３３（たとえば、空圧シリンダ）の作用によって発生する。
【０１０６】
第２のレール３１は、第２のキャリッジ３０に一体に固定されており、第１のキャリッジ２８に一体に固定されている第２の案内組み立て品３４に沿って係合している。
【０１０７】
第２のキャリッジ３０のトラッキングの方向Ｂに沿ったシフトが、加熱されているプレートを備えている熱密封素子１１及び弾性戻し要素３５の動作によって発生する。
【０１０８】
この点について、シフト組み立て品２７は、第１のキャリッジ２８と第２のキャリッジ３０との間に配置されているばねなどの型式の弾性戻し要素３５を少なくとも有していることを実際に強調しておくが、第２のキャリッジ３０のトラッキングの方向Ｂに沿った摺動は、以下のように発生する。
側方の収容手段２３、２４がプロフィール付き要素Ｐに向けて近づく方向で、第２のキャリッジ３０が徐々にシフトすると弾性的に荷重が加わる弾性戻し要素３５の作動に逆らった、加熱されているプレートを備えている熱密封素子１１の推進の作用によって第２のキャリッジ３０の摺動が発生する；
側方の収容手段２３、２４がプロフィール付き要素Ｐから離れるように移動する反対の方向で、弾性戻し要素３５の直接の作動の作用によって第２のキャリッジ３０の摺動が発生する。加熱されているプレートを備えている熱密封素子１１が非使用の状態に徐々に戻ると、実際に、弾性戻し要素３５は、第２のキャリッジ３０及び、それと共に、側方の収容手段２３、２４をそれらの開始位置に戻す。
【０１０９】
実際に、支持胴体２４が、動作状態（図４及び５）に配置される瞬間に、弾性戻し要素３５は、プロフィール付き要素Ｐから実質的に離れているＶ形要素２３を最初は保持している（図４）；プロフィール付き要素Ｐを、密封する領域Ｚに互いに近づけると、加熱されているプレートを備えている熱密封素子１１を、移動の方向Ａに沿って前方に移動させ、Ｖ形要素２３がプロフィール付き要素Ｐ上に置かれるまで支持胴体２４をトラッキングの方向Ｂに沿って押す（図５）。
【０１１０】
Ｖ形要素２３が、しなやか保持手段３６、つまりＶ形要素２３と支持胴体２４とをきつく結合しない手段を介して支持胴体２４に取り付けられていることが便利である。
図に示している特定の実施形態では、しなやかな保持手段３６は、
Ｖ形要素２３を支持胴体２４上に緩い態様で取り付ける少なくとも１個の緩い機械的結合組み立て品３７、３８。緩い機械的結合組み立て品３７、３８は、たとえば、Ｖ形要素２３を貫通して形成されている少なくともスロット３７及び、支持胴体２４に関連付けられており、貫通スロット３７内に緩く嵌められている１個よりも多いことが好ましい少なくともピン３８に存する；
Ｖ形要素２３と支持胴体２４との間に配置されている少なくとも減衰組み立て品３９、４０。減衰組み立て品３９、４０は、たとえば、少なくとも水平方向の減衰層３９及び、少なくとも垂直方向の減衰層４０に存する、を有している。水平方向の減衰層３９は、支持胴体２４の水平方向の表面上を延びており、垂直方向に沿ってＶ形要素２３に作用している推進力を減衰させ、ゴム接着フォーム（独立気泡フォームゴム）またはスポンジゴム（つまり、半連続気泡構造の成形によって作られているフォーム）などのかなり柔らかい材料で作られている。他方、垂直方向の減衰層４０は、支持胴体２４の垂直方向の表面上を延びており、水平方向に沿ってＶ形要素２３に作用している推進力を減衰させ、実質的に４０ショアＡに等しい硬度のゴムなどのしなやかな、しかしかなり硬い材料で作られている。図示の実施形態においては、複数のＶ形要素２３、複数の水平減衰層３９、及び複数の垂直減衰層４０を有している側方の収容手段２３、２４が存在している。
【０１１１】
しなやかな保持手段３６の存在によって、密封中に、Ｖ形要素２３の位置を溶融材料の変形の現象に適合させて、側方の密封ビードＳの収容中に側部２５が第１の側面４に接触した状態に常に維持されることを保証することができる。
【０１１２】
しなやかな保持手段３６のしなやかさの容量によって、実際、垂直方向の軸線（図８を参照）及びトラッキングの方向Ｂに直交する水平方向の軸線（図９を参照）の両方を中心に回転させることによって、Ｖ形要素２３を振動させることができる。
【０１１３】
Ｖ形要素２３の少なくとも１個が、収容押さえ１７、１８の凸部２０に対して実質的に相補的な寸法を有している少なくとも凹部４１を有していることが便利である。
【０１１４】
このように、収容押さえ１７、１８の第１の作業表面１９がプロフィール付き要素Ｐの主な溝に当接すると、凸部２０を凹部４１の内側に部分的に配置することができる。
【０１１５】
これによって、特に押さえ手段１７、１８から側方の収容手段２３、２４までの通過領域の密封ビードの収容動作が促進される。
【０１１６】
凹部４１は、図８のように振動することを除いて、実質的にトラッキングの方向Ｂに平行な方向に沿って延びている；このように、Ｖ形要素２３がトラッキングの方向Ｂに沿って前進すると、１つに結合された凹部４１及び凸部２０は、押さえ手段１７、１８及び側方の収容手段２３、２４を正しく配置するのを助ける小さな相互の直動運動も行う。
【０１１７】
図に示している実施形態において、２個の収容押さえ１７、１８が存在し、そして、一方がＶ形要素２３の上部に配置されて第１の収容押さえ１７の凸部２０に結合可能で、他方がＶ形要素２３の下部に配置されて第２の収容押さえ１８の凸部２０に結合可能な２個の凹部４１も存在する。
【０１１８】
第１の動作モードによる本発明の動作は以下のようになる。
【０１１９】
２個のプロフィール付き要素Ｐが、それぞれの密封する領域Ｚが互いに向き合うように保持部材７、８の位置に配置される。
【０１２０】
それから、除去手段１３、１４によって、主な溝及び側方の溝１６が、各密封する領域Ｚの位置に作られる（図１０）。
【０１２１】
その後、加熱されているプレートを備えている熱密封素子１１の対向している面に押し付けられて密封する領域Ｚが加熱され、それから、プロフィール付き要素Ｐを互いに押し付けることによって互いに結合させる。
【０１２２】
密封する領域Ｚの結合は、それらを互いに溶かすように往復接触状態にそれらを保持し、主な密封ビード及び側方の密封ビードＳを定めることによって行われる。
【０１２３】
密封する領域Ｚの結合中に、押さえ手段１７、１８及び側方の収容手段２３、２４は、定める溝に当接し、溝自体と共に、主な収容コンパートメント及び側方の収容コンパートメント２６を定める。
【０１２４】
側方の収容手段２３、２４の介在を図１１から１３に模式的に示している。
【０１２５】
密封する領域Ｚの接近段階において（図１１）、Ｖ形要素２３を、トラッキングの方向Ｂに沿って前進させる。
【０１２６】
このように、Ｖ形要素２３の側部２５は、プロフィール付き要素Ｐの第１の側面４上に置かれ、側方の収容コンパートメント２６を定めるように側方の溝１６に当接する（図１２）。
【０１２７】
プロフィール付き要素Ｐの相対的な接近によって生成された側方の密封ビードＳは、側方の収容コンパートメント２６の中心に位置しており、それから出ることなくそれを満たしている。
【０１２８】
この段階において、実際、プロフィール付き要素Ｐの密封する領域Ｚは、互いに近づくように移動を続け、溶融しているプラスチック材料は、側方の収容コンパートメント２６を完全に満たすまで側方の密封ビードＳを盛り上げ続ける（図１３）。
【０１２９】
図１１から１３に示している全ての段階は、側方の収容コンパートメント２６が完全に満たされる前に、溶融している材料が凝固するのを避けるような速度及びタイミングで実施される。
【０１３０】
第２の動作モードによる本発明の動作は、その代わりに以下のようになる。
【０１３１】
２個のプロフィール付き要素Ｐが、保持手段７、８の位置で密封する領域Ｚが互いに対向するようにそれぞれの領域がいったん配置されると、除去手段１３、１４が、各密封する領域Ｚを完全に平らにするように介入する（図１４）。
【０１３２】
その後、加熱されているプレートを備えている熱密封素子１１の対向している面に押し付けられて密封する領域Ｚが加熱され、それから、互いに押し付けることによって互いに結合される。
【０１３３】
密封する領域Ｚの結合中に、押さえ手段１７、１８及び側方の収容手段２３、２４は、プロフィール付き要素Ｐに当接する。
【０１３４】
特に、密封する領域Ｚが接近する段階で（図１５）、Ｖ形要素２３を、トラッキングの方向Ｂに沿って前進させ、溝１５、１６が存在しないため、形成が開始される瞬間に側方の密封ビードＳに直接当接する（図１６）。
【０１３５】
除去手段１３、１４によって実施された密封する領域Ｚを平らにする作業のおかげで、側方の密封ビードＳは、特に、寸法が限定されており、側方の溝１６及び側方の収容コンパートメント２６なしにＶ形要素によって収容される。
【０１３６】
本発明は意図した目的を達成する。
【０１３７】
この点について、１個または２個以上の一体のＶ形要素を提供する特定の解決策によって、プロフィール付き要素の第１の側面の完璧な結合が保証され，側方の密封ビードのバリや不規則性が一切発生しない凝固が保証されることを強調しておく。
【０１３８】
その結果、プロフィール付き要素の主な面の位置だけでなく、密封する領域の第１の側面及び第１の側方の縁の位置でも余分な材料を除去するように適合している全ての表面の仕上げ作業が不要になり、その結果、時間、エネルギー、及びさらなる機械類の使用を省略するという点で有利である。
【０１３９】
重ねて配置された複数のＶ形要素及びしなやかな保持手段の存在を提供する特定の解決策によって、密封中に、Ｖ形要素の位置を溶融材料の様々な変形現象に対応させることができ、したがって、Ｖ形要素のＶパターンに配置されている側部が第１の側面への接触を常に維持し、側方の密封ビードが側方の収容コンパートメントから出てこないことが保証され、これは、呼びの大きさとは実質的に異なる可能性さえあるプラスチック製のプロフィール付き要素の実際の形状及び寸法に関係なく行われることをさらに繰り返し述べる。
【０１４０】
言い換えれば、本発明の機械は、世界中のどこであっても、どのような環境であっても、どのような気象条件であっても、任意の押し出し機械から得られ、市場で入手可能な任意の型式のプロフィール付き要素を密封できる。
【０１４１】
そのため、本発明による側方の収容手段の介入によって、１つに密封されたプロフィール付き要素で得られる最終結果は、美的に優れており、既知の型式のどのような密封方法及び装置よりもはるかに優れている。
【図１】
0006802807.tif 000002
【図１ａ】
0006802807.tif 000003
【図２】
0006802807.tif 000004
【図３】
0006802807.tif 000005
【図４】
0006802807.tif 000006
【図５】
0006802807.tif 000007
【図６】
0006802807.tif 000008
【図７】
0006802807.tif 000009
【図８】
0006802807.tif 000010
【図９】
0006802807.tif 000011
【図１０】
0006802807.tif 000012
【図１１】
0006802807.tif 000013
【図１２】
0006802807.tif 000014
【図１３】
0006802807.tif 000015
【図１４】
0006802807.tif 000016
【図１５】
0006802807.tif 000017
【図１６】
0006802807.tif 000018